(57)【特許請求の範囲】
【請求項１】
走行装置（１）上の左右側に脱穀部（Ａ）と該脱穀部（Ａ）で処理済の穀粒を貯留する穀粒タンク（Ｂ）を載置して並設し、穀粒タンク（Ｂ）の前側に操縦部（Ｃ）を又脱穀部（Ａ）の前方がわに刈取部（Ｄ）をそれぞれ配設し、前記穀粒タンク（Ｂ）の後部を支点にして外側方に回動可能にした穀粒タンク（Ｂ）の外側壁（２）に昇降用ハシゴ（３）を取り付けたコンバインの穀粒タンク用昇降装置において、昇降用ハシゴ（３）の下方相当位置に設ける補助ステップ（４）を穀粒タンク（Ｂ）下部がわを逆ハの字形にした傾斜面に装着し、該穀粒タンク（Ｂ）下部がわを覆うカバー体（５）と前記傾斜面で形成した空間内に補助ステップ（４）を収容したことを特徴とするコンバインの穀粒タンク用昇降装置。
【請求項２】
後部を支点にして外側方に回動可能にした穀粒タンク（Ｂ）の外側壁（２）がわに昇降用ハシゴ（３）を設け、該昇降用ハシゴ（３）を前記穀粒タンク（Ｂ）の前側壁（６）に移動可能に構成したことを特徴とする請求項１に記載したコンバインの穀粒タンク用昇降装置。
【発明の詳細な説明】
【０００１】
【発明の属する技術分野】
本発明は、走行装置上の左右側に脱穀部と該脱穀部で処理済の穀粒を貯留する穀粒タンクを載置して並設し、穀粒タンクの前側に操縦部を又脱穀部の前方がわに刈取部をそれぞれ配設してなるコンバインの穀粒タンク用昇降装置に関する。
【０００２】
【従来の技術】
従来、このようなコンバインでは、脱穀部から穀粒タンク内に投入される穀粒の貯留量はセンサ−によって知り得るようにしているものもあるが、その穀粒の選別状態の良否の確認はできず、また穀粒タンクの清掃作業も容易ではないのである。また、グレンタンクの外側上部に係止装置を設け、該係止装置に係脱自在にハシゴを取り付けて大型コンバインの点検、整備等に際して機体の上部に容易に登るようにしたものが特開平３−２２２４１１号公報に記載されている。更に、一般の車両に装備する足掛け用ステップをキャブの後方下部に取り付けた泥除けに設け、接続する梯子に真直ぐに登るようにしたものが実開平３−８２２７９号公報に開示されている。
【０００３】
【発明が解決しようとする課題】
この発明は、従来のコンバインが前項に記載するような欠点を有していることから、これらの欠点を解決することによって、穀粒の貯留量の確認と選別状態の確認及び刈取作業終了時の穀粒タンクの清掃作業が容易にできるとともに、走行時の邪魔にならないコンバインの穀粒タンク用昇降装置を提供しようとするものである。
【０００４】
【課題を解決するための手段】
そこで本発明は、走行装置上の左右側に脱穀部と該脱穀部で処理済の穀粒を貯留する穀粒タンクを載置して並設し、穀粒タンクの前側に操縦部を又脱穀部の前方がわに刈取部をそれぞれ配設し、前記穀粒タンクの後部を支点にして外側方に回動可能にした穀粒タンクの外側壁に昇降用ハシゴを取り付けたコンバインの穀粒タンク用昇降装置において、昇降用ハシゴの下方相当位置に設ける補助ステップを穀粒タンク下部がわを逆ハの字形にした傾斜面に装着し、該穀粒タンク下部がわを覆うカバー体と前記傾斜面で形成した空間内に補助ステップを収容したことにより、比較的地上高が低い位置にありながら走行時の邪魔にならない補助ステップの構成になるとともに、地上からの昇り降りが容易に行え穀粒タンク内に貯留される穀粒の貯留量の確認と穀粒の選別状態の良否確認及び穀粒タンクの清掃作業を行い易くした。
【０００５】
また、後部を支点にして外側方に回動可能にした穀粒タンクの外側壁がわに昇降用ハシゴを設け、該昇降用ハシゴを前記穀粒タンクの前側壁に移動可能に構成したので、走行時は操縦部との間に収納されて邪魔にならず、貯留量の確認、選別状態の良否確認及び清掃作業時には後部を支点にして外側方に回動させることで昇降用ハシゴが使用できて、それらの確認と清掃が容易に行えるとともに１つの昇降用ハシゴで前述するそれぞれの確認、及び清掃が適宜行えるものになる。
【０００６】
【発明の実施の形態】
【実施例】
以下、本発明による穀粒タンク用昇降装置について、実施例図を参照し説明すると、先ず図１〜図６において記載する。このコンバインはクロ−ラ式走行装置（１）上の左右側に脱穀部（Ａ）と該脱穀部（Ａ）で処理済の穀粒を貯留する穀粒タンク（Ｂ）を載置して並設し、穀粒タンク（Ｂ）の前側に操縦部（Ｃ）を又脱穀部（Ａ）の前方がわに刈取部（Ｄ）をそれぞれ配設してなるもので、脱穀部（Ａ）は左側でそのフィ−ドチエン（７）を外側にして載置され、穀粒タンク（Ｂ）は下部がわを前方視または後方視で逆ハの字形に形成して穀粒搬出用のコンベヤ（８）を横架するとともに、後側に立設する縦オ−ガ（９）を支点にして図１に仮想線で示すように外側方に回動可能となり、操縦部（Ｃ）はキャビン（１０）内に設けられ、刈取部（Ｄ）は穀稈を多条刈りして後方の脱穀部（Ａ）に搬送し、脱穀部（Ａ）の後側には排藁カッタ−（Ｅ）が連設されている。
【０００７】
即ち、刈取部（Ｄ）で刈取られ後方に搬送される穀稈は脱穀部（Ａ）によって処理され、処理済の排藁は排藁カッタ−（Ｅ）により切断されるようになり、また穀粒は揚穀筒（１１）内を揚上されて穀粒タンク（Ｂ）内に投入貯留される。そしてこの貯留された穀粒は穀粒タンク（Ｂ）内の下部に横架されたコンベヤ（８）により後方に向けて搬出され、縦オ−ガ（９）から横オ−ガ（１２）に受継がれて機外に取出されるようになっている。
【０００８】
そして、（３）は丸パイプにより組成された作業者用の昇降用ハシゴであって、上端部を折曲しその折曲部（３ａ）（３ａ）を穀粒タンク（３）の天井板に溶着固定して脱穀部（Ａ）と反対側の外側壁（２）に取り付け、穀粒タンク（Ｂ）上まで昇降可能にするとともに、穀粒タンク（Ｂ）の天井板には大きな蓋（１３）付きの窓（１４）が開設されている。
【０００９】
また、穀粒タンク（Ｂ）の下部がわは前述のように逆ハの字形に形成され、その下部がわの外側部には穀粒タンク（Ｂ）内に満杯になった穀粒を緊急的に取出す取出樋（１５）と工具箱を上方から差し込み自在の受金（１６）が固設され、前記昇降用ハシゴ（３）の下方相当位置に丸パイプを折曲してなる補助ステップ（４）が取り付けられている。
【００１０】
そして、（５）は穀粒タンク（Ｂ）の下部がわの外側部を覆う着脱自在なカバ−体であって、このカバ−体（５）によって前記取出樋（１５）と受金（１６）及び補助ステップ（４）が被覆可能になっている。なお、（１７）は前記コンベヤ（８）の軸端部に取着して回転動力を受継ぐジョイントを示したものである。
【００１１】
また、前記カバ−体（５）を着脱自在にする手段について付言しておくと、（１８）は前後の２箇所に形成した凹部で、この凹部（１８）内に係止金（１９）が固設され、また、穀粒タンク（Ｂ）下部の前後部から係合杆（２０）が突設してカバ−体（５）の下部がわのステ−（２１）を係合杆（２０）にそれぞれ係合させてから、この係合杆（２０）を支点にしカバ−体（５）を外側壁（２）がわに回動させると、カバ−体（５）に附設したフック金（２２）が凹部（１８）内の係止金（１９）に係合して取着されるようになる。
【００１２】
そして、このフック金（２２）はトルクバネによって係合状態に附勢しているから、フック金（２２）をその附勢力の方向と逆の方向に回動させることによって係止金（１９）から離脱させたのち、ステ−（２１）を係合杆（２０）から脱するとカバ−体（５）は取り外せるのである。
【００１３】
したがって、作業者は昇降用ハシゴ（３）に直接足をかけて昇り穀粒タンク（Ｂ）の蓋（１３）を開けて窓（１４）から貯留された穀粒量を確認したり、穀粒の選別状態の良否の確認及び穀粒タンク（Ｂ）の清掃等を行うのである。
【００１４】
またその場合、補助ステップ（４）はカバ−体（５）によって被覆されているが、前記のようにして被覆しているカバ−体（５）を取り外すと、補助ステップ（４）は露出し作業者はこの補助ステップ（４）を介して昇降用ハシゴ（３）を昇り降りすることができる。
【００１５】
そして、図７に示したものについて記載すると、この図のものは昇降用ハシゴ（３）を取り付ける場合に、穀粒タンク（Ｂ）の外側壁（２）に縦方向の凹所（２ａ）を形成し、この凹所（２ａ）内に昇降用ハシゴ（３）を取り付けて穀粒タンク（Ｂ）の外側壁（２）から突出しないようにしたものである。
【００１６】
次に、図８と図９に示すものについて説明する。このものは前述のように穀粒タンク（Ｂ）を後側に立設する縦オ−ガ（９）を支点にして外側方に回動可能のものを前提にしたもので、昇降用ハシゴ（３）を穀粒タンク（Ｂ）の前側壁（６）に取り付け、穀粒タンク（Ｂ）を前記図１に仮想線で示すように外側方に回動して昇降用ハシゴ（３）を昇り降りするようにしたものである。
【００１７】
更に、図１０〜図１２に示したものは、昇降用ハシゴ（３）を穀粒タンク（Ｂ）の外側壁（２）がわと前側壁（６）がわとに移動可能にしたもので、図１０と図１１は穀粒タンク（Ｂ）の天井板にＬ形状にガイドレ−ル（２３）を設置し、昇降用ハシゴ（３）の折曲部（３ａ）にはコロ（２４）を装着して、このコロ（２４）をガイドレ−ル（２３）に嵌合させ昇降用ハシゴ（３）の横移動により外側壁（２）がわと前側壁（６）がわとに自由に移動可能にしたものであり、図１２のものは、昇降用ハシゴ（３）の上端部から横杆（２５）を延出し、その延出端部を穀粒タンク（Ｂ）の天井板に固設する支持杆（２６）の先端部に回動可能に取着して実線に示す位置と仮想線で示す位置とに回動により移動可能にしたものである。
【００１８】
尚、図７〜図１２に示すもののその他の構成については、図１〜図６に示してあるものと構成が同じであるから、同一の符号を付して説明を省略する。
【００１９】
【発明の効果】
本発明は、以上説明したような形態で実施され、次に記載するような効果を奏する。
【００２０】
即ち、走行装置上の左右側に脱穀部と該脱穀部で処理済の穀粒を貯留する穀粒タンクを載置して並設し、穀粒タンクの前側に操縦部を又脱穀部の前方がわに刈取部をそれぞれ配設し、前記穀粒タンクの後部を支点にして外側方に回動可能にした穀粒タンクの外側壁に昇降用ハシゴを取り付けたコンバインの穀粒タンク用昇降装置において、昇降用ハシゴの下方相当位置に設ける補助ステップを穀粒タンク下部がわを逆ハの字形にした傾斜面に装着し、該穀粒タンク下部がわを覆うカバー体と前記傾斜面で形成した空間内に補助ステップを収容したことにより、比較的地上高が低い位置にありながら走行時の邪魔にならない補助ステップになるとともに地上からの昇り降りが容易に行え、穀粒タンク内に貯留される穀粒の貯留量の確認と穀粒の選別状態の良否確認及び穀粒タンクの清掃作業を行い易くなった。
【００２１】
また、後部を支点にして外側方に回動可能にした穀粒タンクの外側壁がわに昇降用ハシゴを設け、該昇降用ハシゴを前記穀粒タンクの前側壁に移動可能に構成したので、走行時は操縦部との間に収納されて邪魔にならず、貯留量の確認、選別状態の良否確認及び清掃作業時には後部を支点にして外側方に回動させることで昇降用ハシゴが使用できて、それらの確認と清掃が容易に行えるとともに１つの昇降用ハシゴで前述するそれぞれの確認、及び清掃が適宜行え便利になる。
【図面の簡単な説明】
【図１】  第１実施例のもののコンバイン全体の平面図である。
【図２】  同全体側面図である。
【図３】  同穀粒タンクの外方からの側面図である。
【図４】  同穀粒タンクの前方視図である。
【図５】  同穀粒タンク下部がわの断面図である。
【図６】  カバ−体を示した図である。
【図７】  第２実施例のものの穀粒タンク部の平面図である。
【図８】  第３実施例のものの穀粒タンクの外方からの側面図である。
【図９】  同穀粒タンクの前方視図である。
【図１０】  第４実施例のものの穀粒タンク部の平面図である。
【図１１】  同穀粒タンク上部がわの前方視図である。
【図１２】  同穀粒タンクの他の実施例を示す平面図である。
【符号の説明】
Ａ    脱穀部
Ｂ    穀粒タンク
Ｃ    操縦部
Ｄ    刈取部
１    走行装置
２    外側壁
２ａ    凹所
３    昇降用ハシゴ
４    補助ステップ
５    カバ−体
６    前側壁
【図１】
0003880198.tif 000002
【図２】
0003880198.tif 000003
【図３】
0003880198.tif 000004
【図４】
0003880198.tif 000005
【図５】
0003880198.tif 000006
【図６】
0003880198.tif 000007
【図７】
0003880198.tif 000008
【図８】
0003880198.tif 000009
【図９】
0003880198.tif 000010
【図１０】
0003880198.tif 000011
【図１１】
0003880198.tif 000012
【図１２】
0003880198.tif 000013